(57)【要約】【課題】  不要な撮影画像を、書き込み回数が極端に少なく制限された記憶媒体に保存することを防ぎ、書き込み回数が極端に少なく制限された記憶媒体を有効活用する。【解決手段】  前記デジタルカメラに対する記憶媒体の装着状態を判別する判別し（Ｓ２０６）、第３の記憶媒体（Ｏｎｅ  Ｔｉｍｅメモリ）が装着されたと判別された場合（Ｙｅｓ）、ユーザーの記憶指示に応じて（Ｓ２０７）、前記撮像画像を前記第３の記憶媒体へ記憶する（Ｓ２０９）。【選択図】  図２
2006229691.tif 000002
【特許請求の範囲】
【請求項１】
被写体を撮像することにより撮像画像を得るデジタルカメラであって、
前記撮影時に一時的に撮影画像を保持する脱着不可能な第１の記憶媒体と、脱着可能な第２の記憶媒体と、書き込み保証回数が第２の記憶媒体よりも少ない第３の記憶媒体への前記撮像画像の記憶を制御する記憶制御手段と、
前記デジタルカメラに対する記憶媒体の装着状態を判別する判別手段と、を有し、
前記判別手段により第３の記憶媒体が装着されたと判別された場合、前記記憶制御手段は、ユーザーの記憶指示に応じて、前記撮像画像を前記第３の記憶媒体へ記憶することを特徴とするデジタルカメラ。
【請求項２】
前記撮影画像の確認表示を行う表示手段をさらに有することを特徴とする請求項１に記載のデジタルカメラ。
【請求項３】
前記表示手段はユーザーの許可及び禁止設定に応じて前記確認表示を行うが、第３の記憶媒体が装着され撮影を行った時は前記確認表示を禁止する設定がされている場合であっても、強制的に撮影画像の確認表示を行うことを特徴とする請求項２に記載のデジタルカメラ。
【請求項４】
第３の記憶媒体が挿入され撮影を行った時、前記記憶制御手段は、撮影後にユーザーによる特定のボタン押下が検出された場合に限り、前記撮影画像を記憶することを特徴とする請求項１〜３のいずれかに記載のデジタルカメラ。
【請求項５】
特定の撮影モードの時に限り、前記ユーザーによる記憶指示を可能とすることを特徴とする請求項１に記載のデジタルカメラ。
【請求項６】
撮影モードが終了した時点で、第１の記憶媒体に保持された撮影画像を装着された第２、もしくは第３の記憶媒体に記憶することを選択できるようにすることを特徴とする請求項１に記載のデジタルカメラ。
【請求項７】
第３の記憶媒体装着時、第１の記憶媒体の残容量に基づき次の撮影画像の保持が不可能になると判断するまで連続して撮影を行った後、第１の記憶媒体に保持された撮影画像を第３の記憶媒体に記憶するための選択を可能とすることを特徴とする請求項１に記載のデジタルカメラ。
【請求項８】
第３の記憶媒体装着時、第１の記憶媒体の残容量に基づき次の撮影画像の保持が不可能になると判断した時に、ユーザーが次の撮影を行うべくシャッターボタンを押した場合、撮影動作を禁止し撮影画像の記憶選択を可能とすることを特徴とする請求項１に記載のデジタルカメラ。
【請求項９】
第３の記憶媒体装着時、第１の記憶媒体に一時的に保持されている撮影画像を、第３の記憶媒体への記憶が完了した時点で、第１の記憶媒体に一時的に記憶されている撮影画像データと、第３の記憶媒体に記憶した撮影画像データが一致している事を確認した後、第１の記憶媒体の撮影画像を消去することを特徴とする請求項１に記載のデジタルカメラ。
【請求項１０】
設定された撮影画像の記憶優先度により、撮影画像の記憶選択を自動的に行うことを特徴とする請求項１に記載のデジタルカメラ。
【請求項１１】
被写体を撮像することにより撮像画像を得ることが可能であり、前記撮影時に一時的に撮影画像を保持する脱着不可能な第１の記憶媒体と、脱着可能な第２の記憶媒体と、書き込み保証回数が第２の記憶媒体よりも少ない第３の記憶媒体への前記撮像画像の記憶を制御することが可能なデジタルカメラの記憶制御方法であって、
前記デジタルカメラに対する記憶媒体の装着状態を判別する判別し、第３の記憶媒体が装着されたと判別された場合、ユーザーの記憶指示に応じて、前記撮像画像を前記第３の記憶媒体へ記憶することを特徴とするデジタルカメラの記憶制御方法。
【発明の詳細な説明】
【技術分野】
【０００１】
本発明は、被写体を撮像することにより撮像画像を得るデジタルカメラ及びデジタルカメラの記憶制御方法に関するものである。
【背景技術】
【０００２】
現在、デジタルカメラ等撮像装置に一般的に使用されている脱着可能な記憶媒体は、ＦｌａｓｈＲＯＭ等で構成され、１０万回程度の書き込みが保証されているために、デジタルカメラでは有効な撮影画像を保存する記憶媒体として広く一般的に利用されている。
【０００３】
デジタルカメラで撮影された撮影画像を保存した脱着可能な記憶媒体は、１０万回以上の書き込みが保証されているため、不要となった撮影画像や、撮影に失敗した撮影画像等の不要な画像を容易に消去する事ができる。
【０００４】
そのため現在のデジタルカメラの多くは、脱着可能なＦｌａｓｈＲＯＭ等で構成される記憶媒体へ、撮影画像を自動的に保存する仕組みとなっている。
【０００５】
書き込み回数が従来の物より極端に少なく制限された、例えば１００回や、１回の書き込み回数しか保証されていない記憶媒体を装着可能なデジタルカメラも提案されており、この種のデジタルカメラの使い勝手を向上させる技術も提案されている（特許文献１参照）。
【特許文献１】特開２００３−２４４６０４号公報
【発明の開示】
【発明が解決しようとする課題】
【０００６】
しかしながら、このような、書き込み回数が従来の物より極端に少なく制限された、例えば１００回や、１回の書き込み回数しか保証されていない記憶媒体をデジタルカメラに装着した場合、デジタルカメラのしくみ上、撮影者の意図に合わない、撮影者が不要と思う撮影画像でも自動的に保存してしまう。
【０００７】
このような書き込み回数が極端に少なく制限された記憶媒体では、通常のメモリと異なり不要な撮影画像を後で消去し、新たに撮影された画像データを書き込む事が不可能になるケースが発生する。
【０００８】
そのため本件で提案する手法を用いて、不要な撮影画像を、書き込み回数が極端に少なく制限された記憶媒体に保存することを防ぎ、書き込み回数が極端に少なく制限された記憶媒体を有効活用する事を目的とする。
【課題を解決するための手段】
【０００９】
上記目的を達成するために、本発明のデジタルカメラは、被写体を撮像することにより撮像画像を得るデジタルカメラであって、前記撮影時に一時的に撮影画像を保持する脱着不可能な第１の記憶媒体と、脱着可能な第２の記憶媒体と、書き込み保証回数が第２の記憶媒体よりも少ない第３の記憶媒体への前記撮像画像の記憶を制御する記憶制御手段と、前記デジタルカメラに対する記憶媒体の装着状態を判別する判別手段と、を有し、前記判別手段により第３の記憶媒体が装着されたと判別された場合、前記記憶制御手段は、ユーザーの記憶指示に応じて、前記撮像画像を前記第３の記憶媒体へ記憶することを特徴とする。
【００１０】
また、本発明のデジタルカメラの記憶制御方法は、被写体を撮像することにより撮像画像を得ることが可能であり、前記撮影時に一時的に撮影画像を保持する脱着不可能な第１の記憶媒体と、脱着可能な第２の記憶媒体と、書き込み保証回数が第２の記憶媒体よりも少ない第３の記憶媒体への前記撮像画像の記憶を制御することが可能なデジタルカメラの記憶制御方法であって、前記デジタルカメラに対する記憶媒体の装着状態を判別する判別し、第３の記憶媒体が装着されたと判別された場合、ユーザーの記憶指示に応じて、前記撮像画像を前記第３の記憶媒体へ記憶することを特徴とする。
【発明の効果】
【００１１】
本発明によれば、デジタルカメラに書き込み保証回数が少ない第３の記憶媒体が装着された時のみ、撮影画像を保存するか／しないかを選択するようにしたことで、装着された記憶媒体への書き込みを、不用意に行う事を防止し、ユーザーが必要と判断する撮影画像のみ保存する事ができ、記憶媒体の有効活用ができる。
【発明を実施するための最良の形態】
【００１２】
以下、図面を参照して本発明の実施の形態を説明する。
【００１３】
（第１の実施形態）
本発明の実施形態の構成を示すデジタルカメラシステム構成の一例を図１、図３に示す。
【００１４】
図１において、１０は、デジタルカメラが有する、撮像部である。撮像部は、レンズ、ＣＣＤ、制御装置等から構成され、撮影機能を有している。ユーザーがユーザーインターフェースを用い撮影行為が行われると、撮像部により、ユーザーの所望の画角における画像データを取り込む。
【００１５】
１１は、デジタルカメラが有する、画像処理部である。画像処理部では、撮像部により得られた画像データの圧縮処理（ＪＰＥＧ圧縮）等を行い、圧縮後の画像データを第１の記憶媒体１２に撮影画像ファイルとして一時的に保存する。また、保存されている撮影画像ファイルを伸長し、デジタルカメラが有する液晶パネル等の表示部１４等に表示を行う。また、画像処理部１１は、第１の記憶媒体のみでなく、第２及び第３の記憶媒体への記録制御も行う。
【００１６】
１２は、デジタルカメラが有する、画像処理や、撮影画像の一時保存に使用する第１の記憶媒体である。第１の記憶媒体は、ＳＤＲＡＭ、ＤＤＲ等で構成され、撮像部で得られた画像データを、画像処理部にて画像処理を行う際に利用される他、撮影画像を一時的に保存する事に利用される。
【００１７】
１３は、デジタルカメラが有する、ユーザーインターフェース装置である。ユーザーインターフェース装置は、ＬＥＤ、シャッターボタン等の各種設定ボタンで構成される。ユーザーは、これらのユーザーインターフェース装置を用いて、撮影画像の保存／非保存等の選択や、デジタルカメラの動作モード選択、各種設定を行う。
【００１８】
１４は、デジタルカメラが有する、表示部である。表示部は液晶パネル等で構成され、電子ファインダー（ＥＶＦ）、レックビュー、再生画像の表示、撮影画像の保存／非保存の選択などに使用される。
【００１９】
１５は、デジタルカメラが有する、記憶媒体判別部である。記憶媒体判別部は、デジタルカメラが有する接続Ｉ／Ｆ１６に接続される脱着可能な記憶媒体１７、１８が、書き込み保証回数が第３の記憶媒体よりも多い第２の記憶媒体であるか、書き込み保証回数が第２の記憶媒体よりも少ない第３の記憶媒体であるか判別する。
【００２０】
１６は、デジタルカメラが有する、接続Ｉ／Ｆである。接続Ｉ／Ｆは、脱着可能な第２、第３の記憶媒体を装着するＩ／Ｆである。
【００２１】
１７は、デジタルカメラに脱着可能な、書き込み保証回数が第３の記憶媒体よりも多い第２の記憶媒体である。第２の記憶媒体は、デジタルカメラに脱着可能な記憶媒体（ＣＦカード、ＳＤカード等）である。
【００２２】
１８は、デジタルカメラに脱着可能な、書き込み保証回数が第２の記憶媒体よりも少ない第３の記憶媒体である。第３の記憶媒体１８は、第２の記憶媒体とは異なり、書き込み保証回数が１００回や、１回となっており、第２の記憶媒体よりも書き込み保証回数が少ない事を特徴とする記憶媒体である。第３の記憶媒体１８は、第２の記憶媒体１７と外形が同一であり、デジタルカメラの接続Ｉ／Ｆに装着する事ができる物として説明を行う。しかし、第２の記憶媒体と外形が異なり、変換アダプタなどにより、デジタルカメラの接続Ｉ／Ｆに装着できるものであれば特に限定はない。
【００２３】
１９は、デジタルカメラが有する、撮影画像保存優先度判別部である。撮影画像保存優先度判別部は、保存優先度により撮影画像を保存するか否かを判別する。
【００２４】
判別に用いられる優先度は、撮影時の手ぶれ、ＡＦ、ＡＥ等により、撮影画像を優先付けし、撮影画像の保存を自動的に行うものである。判別に用いる優先度は、図３の各種設定ボタン群３０３や、表示部材３０４を用いてユーザーが自由に設定できるものとする。
【００２５】
以下、図１、図２、図３、図４及び図７を参照して、第１の実施形態の動作を説明する。図２に本実施形態における基本的なフローの一例を示す。
【００２６】
ステップＳ２０１は、デジタルカメラがユーザーにより電源投入された状態を示す。
【００２７】
ユーザーにより、デジタルカメラの電源が投入、もしくは、脱着可能な記憶媒体が装着されると、デジタルカメラは装着された記憶媒体との間で通信を行う。この通信によりデジタルカメラは、記憶媒体に書かれたメモリサイズなどの製品情報を読み取る。
【００２８】
記憶媒体判別部１５は、通信により得られた製品情報から、デジタルカメラに装着された記憶媒体が、（１）書き込み保証回数が第３の記憶媒体よりも多い第２の記憶媒体、（２）書き込み保証回数が第２の記憶媒体よりも少ない第３の記憶媒体、のどちらの種別の記憶媒体が装着されているかを判別する（Ｓ２０５）。
【００２９】
本実施形態では、デジタルカメラと記憶媒体との間での通信により得られた製品情報から、装着記憶媒体の種別を判別すると説明したが、これに限定する事は無く、デジタルカメラが有する各種設定ボタン群３０３や、表示部材３０４を用いて、ユーザーが装着記憶媒体の種別を設定する手法や、装着記憶媒体の特殊な形状等の物理的に判別する手法など、装着記憶媒体の種別が特定できる手法であれば特に問題は無い。
【００３０】
本実施形態で扱う、第２の記憶媒体と、第３の記憶媒体の差異は、記憶媒体への書き込み保証回数であり、第２の記憶媒体は、ＣＦカードメモリ、ＳＤカードメモリ等の１０万回以上の書き込み回数が保証されている物を想定しており、第３の記憶媒体は、書き込み保証回数が１００回や１回など、第２の記憶媒体と比較して少ない記憶媒体を想定している。
【００３１】
デジタルカメラが有する複数の動作モード（撮影、再生、通信等）のうち、撮影モードが選択された事を検知すると（Ｓ２０２）、デジタルカメラは撮影の準備を行い、シャッターボタン３０２が押されるのを待つ。
【００３２】
ユーザーによりシャッターボタン３０２が押された事を検出すると、デジタルカメラは、撮像部１０により、ユーザーの所望の画角での画像データを取り込む。
【００３３】
撮像部１０により取り込まれた画像データは、画像処理部１１にてＪＰＥＧ圧縮や、ＲＡＷデータとして処理される。処理された画像データは、撮影画像ファイルとして、第１の記憶媒体に一時的に保持する（Ｓ２０４）。第１の記憶媒体に保持された撮影画像ファイルは、デジタルカメラが有する液晶パネル等の表示部材１４に、撮影画像として表示される（レックビュー）。
【００３４】
記憶媒体判別部１５により、装着された記憶媒体の種別を判別した結果、“（１）第２の記憶媒体”（Ｏｎｅ  Ｔｉｍｅメモリ）が装着された事を検出した時（Ｓ２０６、Ｎｏ）、次の処理を行う。すなわち、ステップＳ２０４にて生成され、第１の記憶媒体に一時的に保存されている撮影画像ファイルを、従来のデジタルカメラと同様に、第２の記憶媒体に保存し（Ｓ２０９）１回の撮影を終了する。
【００３５】
記憶媒体判別部１５により、装着された記憶媒体の種別を判別した結果、“（２）第３の記憶媒体”が装着された事を検出した時（Ｓ２０６、Ｙｅｓ）、次の処理を行う。すなわち、ステップＳ２０４にて生成され、第１の記憶媒体に一時的に保存されている撮影画像ファイルを、デジタルカメラに装着された第３の記憶媒体に保存するかの選択をユーザーに選択させる（Ｓ２０７）。
【００３６】
この時の選択方法の一例を図４に示す。図４では、撮影画像を第３の記憶媒体への保存選択を行う際の表示部１４の画面表示の一例を示しており、表示部１４には、撮影した画像（レックビュー画面）と、選択画面が表示されており、各種設定用ボタン群３０３を用いて撮影画像の保存選択を行う。
【００３７】
上記撮影画像の保存選択手法は、あくまでも一例に過ぎず、特定のボタン３０５を撮影直後に押した場合に限り、撮影画像を保存する等、ユーザーが撮影画像の保存選択を行う手法であれば特に限定は無い。本実施形態における特定のボタン３０５は、他の機能と兼用していても問題はない。
【００３８】
ステップＳ２０８にて、撮影画像を保存しない事が選択されると、装着された第３の記憶媒体に撮影画像を保存せず、第１の記憶媒体に一時的に保存されている撮影画像ファイルを消去し（Ｓ２１０）、動作を終了する（Ｓ２１１）。
【００３９】
ステップＳ２０８にて、撮影画像を保存する事が選択されると、第１の記憶媒体に一時的に保存されている撮影画像ファイルを、装着された第３の記憶媒体に保存し（Ｓ２０９）、撮影動作を終了する（Ｓ２１１）。
【００４０】
以上説明したように、本実施形態では、デジタルカメラに書き込み保証回数が少ない第３の記憶媒体が装着された時のみ、撮影画像を保存するか／しないかを選択するようにしたことで、装着された記憶媒体への書き込みを、不用意に行う事を防止し、ユーザーが必要と判断する撮影画像のみ保存する事ができ、記憶媒体の有効活用ができる。
【００４１】
本実施形態の説明では、撮影直後に表示部材１４に撮影直後にレックビュー画面を表示する様に説明を行っているが、ユーザーにより、レックビュー画面を表示しない設定がされている場合であっても、第３の記憶媒体が装着された場合に限り、強制的にレックビュー画面を表示させ、撮影画像の保存選択をユーザーに促しても良い。これにより、ユーザーは、撮影が行われる度に複数のボタン設定を行わずとも、撮影画像を確認することができる。
【００４２】
本実施形態の説明では、複数の動作モードのうち撮影モードが選択された場合について説明を行ったが、これに限定は無く、第３の記憶媒体を使用している事をユーザーにより設定された特定の撮影モードであっても問題ない。この場合、ユーザーは、書き込み保証回数が少ない記憶媒体が装着されている事を、ユーザーは再認識できる。
【００４３】
（第２の実施形態）
第１の実施形態の説明では、ユーザーにより撮影画像を保存するか、しないかを選択してもらうように説明を行ったが、設定された保存優先度に従い、デジタルカメラが保存するか、しないかを自動的に選択しても良い。
【００４４】
デジタルカメラが有する撮影画像保存優先度判別部１９による、優先度を用いた撮影画像の保存する／しないの判別の一例を、撮影画像保存選択のフローの一例（図７）を用いて説明する。
【００４５】
撮影が完了すると、撮影が行われた時の状況（撮影時の手ぶれ、ＡＦ値、ＡＥ値などの撮影状況）に基づき、撮影画像がどの程度問題なく撮影されたかを判別し、ユーザーにより設定された優先度との比較する（Ｓ７０３）。
【００４６】
ここで、ユーザーに設定された優先度との比較を行い、撮影画像がある閾値以下（ユーザーが指定したレベル以下の意図しない失敗画像）であった場合、ステップＳ７０５に移行し、第１の記憶媒体に一時的に保持されている撮影画像ファイルを消去する。
【００４７】
ユーザーに設定された優先度との比較を行い、撮影画像がある閾値以上（ユーザーが指定したレベル以上の意図した撮影画像）であった場合、ステップＳ７０４に移行し、撮影画像を第３の記憶媒体に保存し、動作を終了する（Ｓ７０６）。
【００４８】
このように、本実施形態では、あらかじめ設定された撮影画像保存優先度により、自動的に撮影画像の保存選択が行われるため、撮影画像毎に保存選択を行う必要が無く、ユーザーはストレスを感じる事無く撮影を続けることが出来る。
【００４９】
（第３の実施形態）
以下、図１、図３、図４、及び図５を参照して、第３の実施形態の動作を説明する。図５に本実施形態における基本的なフローの一例を示す。
【００５０】
ステップＳ５０１は、デジタルカメラがユーザーにより電源投入された状態を示す。
【００５１】
ユーザーにより、デジタルカメラの電源が投入、もしくは、脱着可能な記憶媒体が装着されると、デジタルカメラは装着された記憶媒体との間で通信を行う。この通信によりデジタルカメラは、記憶媒体に書かれたメモリサイズなどの製品情報を読み取る。
【００５２】
記憶媒体判別部１５は、通信により得られた製品情報から、デジタルカメラに装着された記憶媒体が、（１）書き込み保証回数が第３の記憶媒体よりも多い第２の記憶媒体、（２）書き込み保証回数が第２の記憶媒体よりも少ない第３の記憶媒体、のどちらの種別の記憶媒体が装着されているかを判別する（Ｓ５０５）。
【００５３】
本実施形態では、デジタルカメラと記憶媒体との間での通信により得られた製品情報から、装着記憶媒体の種別を判別すると説明したが、これに限定する事は無く、デジタルカメラが有する各種設定ボタン群３０３や、表示部材３０４を用いて、ユーザーが装着記憶媒体の種別を設定する手法や、装着記憶媒体の特殊な形状等の物理的に判別する手法など、装着記憶媒体の種別が特定できる手法であれば特に問題は無い。
【００５４】
本実施形態で扱う、第２の記憶媒体と、第３の記憶媒体の差異は、記憶媒体への書き込み保証回数であり、第２の記憶媒体は、ＣＦカードメモリ、ＳＤカードメモリ等の１０万回以上の書き込み回数が保証されている物を想定しており、第３の記憶媒体は、書き込み保証回数が１００回や１回など、第２の記憶媒体と比較して少ない記憶媒体を想定している。
【００５５】
デジタルカメラが有する複数の動作モード（撮影、再生、通信等）のうち、撮影モードが選択された事を検知すると（Ｓ５０２）、デジタルカメラは撮影の準備を行い、シャッターボタン３０２が押されるのを待つ。
【００５６】
ユーザーによりシャッターボタン３０２が押された事を検出すると、デジタルカメラは、撮像部１０により、ユーザーの所望の画角での画像データを取り込む。
【００５７】
撮像部１０により取り込まれた画像データは、画像処理部１１にてＪＰＥＧ圧縮や、ＲＡＷデータとして処理される。処理された画像データは、撮影画像ファイルとして、第１の記憶媒体に一時的に保持する（Ｓ５０４）。第１の記憶媒体に保持された撮影画像ファイルは、デジタルカメラが有する液晶パネル等の表示部材１４に、撮影画像として表示される（レックビュー）。
【００５８】
記憶媒体判別部１５により、装着された記憶媒体の種別を判別した結果、“（１）第２の記憶媒体”が装着された事を検出した時（Ｓ５０６、Ｎｏ）、次の処理を行う。すなわち、ステップＳ５０４にて生成され、第１の記憶媒体に一時的に保存されている撮影画像ファイルを、従来のデジタルカメラと同様に、第２の記憶媒体に保存し（Ｓ５１１）、１回の撮影を終了する。
【００５９】
記憶媒体判別部１５により、装着された記憶媒体のタイプを判別した結果、“（２）第３の記憶媒体”（Ｏｎｅ  Ｔｉｍｅメモリ）が装着された事を検出した時（Ｓ５０６、Ｙｅｓ）、次の処理を行う。すなわち、ステップＳ５０４にて生成され、撮影画像ファイルを一時的に保存する第１の記憶媒体の残容量を確認し、第１の記憶媒体の残容量が、次の撮影画像ファイルを一時的に保持できると判断されたならば、次の撮影を行うべくシャッターが押されるのを待つ（Ｓ５０３）。
【００６０】
第１の記憶媒体の残容量が不足し、次の撮影画像ファイルを保持できないと判断した時、ステップＳ５０９に移行する。ステップＳ５０９では、第１の記憶媒体に一時的に保持された撮影画像ファイルを、デジタルカメラに装着された第３の記憶媒体に保存するかの選択をユーザーに選択させる（Ｓ５１０）。
【００６１】
この時の選択方法は、第１の記憶媒体に一時的に保持されている撮影画像ファイルを、先の実施形態で説明を行った図４の様な選択画面を表示部１４に表示し、各種設定用ボタン群により選択を行う。撮影画像ファイルの保存選択は、第１の記憶媒体に保持されているすべての撮影画像ファイルが保存選択されるまで連続して行われる。
【００６２】
ステップＳ５１０にて、撮影画像を保存しない事が選択されると、装着された第３の記憶媒体に撮影画像を保存せず、第１の記憶媒体に一時的に保存されている撮影画像ファイルを消去し（Ｓ５１２）、動作を終了する（Ｓ５１３）。
ステップＳ５１０にて、撮影画像を保存する事が選択されると、第１の記憶媒体に一時的に保存されている撮影画像ファイルを、装着された第３の記憶媒体に保存し（Ｓ５１１）、１回の撮影動作を完了する（Ｓ５１３）。
【００６３】
以上説明したように、本実施形態では、画角、被写体がほとんど変わらない連続撮影を行った場合等、ユーザーはよく似た複数の撮影画像の中から一番気に入った撮影画像のみを選択し保存する事ができる。また、ユーザーは必要な撮影画像を充分考慮して保存する事ができる。
【００６４】
本実施形態の説明では、連続して撮影を行った結果、第１の記憶媒体の残容量が不足し、次の撮影画像を保持できないと判断された時に、撮影画像の保存選択を行うように説明したが、第１の記憶媒体の残容量が次の撮影画像ファイルを一時的に保持できる場合であっても、第３の記憶媒体が装着された状態での撮影が完了し、異なる動作モードに移行した場合に保存選択を行っても良い。
【００６５】
本実施形態の説明の中で、連続して撮影を行った結果、第１の記憶媒体の残容量が不足し、次の撮影画像を保持できないと判断された時に、撮影画像の保存選択を行うように説明したが、この時ユーザーにより、次の撮影を行うべくシャッターボタンが押されたとしても、デジタルカメラは、第１の記憶媒体の残容量が不足しているため、次の撮影画像ファイルの保持が不可能であるため、次の撮影を禁止し、ユーザーに撮影画像の保存選択を促しても良い。
【００６６】
（第４の実施形態）
以下、図６を参照して、第４の実施形態の動作を説明する。図６は、先に説明を行った、第３の記憶媒体が装着された際の撮影画像の保存選択において、撮影画像を保存する事が選択された場合の、基本的なフローの一例である。
【００６７】
ステップＳ６０１は、撮影画像の保存選択の開始を意味する。撮影画像の保存選択が開始されると、先の実施形態で説明を行ったようにデジタルカメラが有する表示部材等を用いて、ユーザーに保存するか否かの選択を促す（Ｓ６０２）。
【００６８】
ユーザーにより保存しないことが選択されると、第１の記憶媒体内に一時的に保持された撮影画像ファイルを消去し（Ｓ６０７）、動作を完了する（Ｓ６０８）。
【００６９】
ユーザーにより撮影画像ファイルを保存する事が選択されると、撮影画像の保存工程を開始する（Ｓ６０３）。第１の記憶媒体に一時的に保持された撮影画像ファイルを、第３の記憶媒体に保存すべくコピーを行う（Ｓ６０４）が、第３の記憶媒体が装着されている事から、記憶媒体ある領域への書き込み回数制限を超えてしまう等の原因により、正しく第３の記憶媒体にコピーが行われていない可能性がある。そのためにステップＳ６０５では、第１の記憶媒体内の撮影画像ファイル（コピー元）と、第３の記憶媒体内にコピーされた撮影画像ファイル（コピー先）との比較を行う（Ｓ６０５）。
【００７０】
ステップＳ６０５にて比較を行った結果、撮影画像ファイルが正しくコピーされていない事が確認されると、ステップＳ６０４に移行し、再度撮影画像ファイルのコピーを実行する。
【００７１】
ステップＳ６０５にて比較を行った結果、撮影画像ファイルが正しくコピーされている事が確認されると、ステップＳ６０６に移行し、コピー元である第１の記憶媒体内に一時的に保持されている撮影画像ファイルを削除し、動作を完了する（Ｓ６０８）。
【００７２】
以上説明したように、本実施形態によれば、第１の記憶媒体内の撮影画像（コピー元）と書き込み保証回数が少ない第３の記憶媒体内に保存された撮影画像データ（コピー先）とのデータ比較を行い、正しくコピーされている事が確認された後、第１の記憶媒体内の撮影画像を消去することで、撮影画像ファイルを安全／確実に保存する事ができる。
【図面の簡単な説明】
【００７３】
【図１】本発明の実施形態の基本的なデジタルカメラ構成の一例である。
【図２】第１の実施形態の基本的動作のフローチャートの一例である。
【図３】本発明の実施形態の基本的なデジタルカメラの構成図である。
【図４】本発明の実施形態が提案する撮影画像を保存選択する際の表示画面の一例である。
【図５】第３の実施形態の基本的動作のフローチャートの一例である。
【図６】第４の実施形態の基本的動作のフローチャートの一例である。
【図７】第１の実施形態に関るフローチャートの一例である。
【符号の説明】
【００７４】
１０  撮像部
１１  画像処理部
１２  第１の記憶媒体
１３  ユーザーインターフェース
１４  表示部
１５  記憶媒体判別部
１６  接続Ｉ／Ｆ
１７  第２の記憶媒体
１８  第３の記憶媒体
１９  撮影画像保存優先度判別部
３０１  デジタルカメラ
３０２  シャッターボタン
３０３  各種設定ボタン群
３０４  表示部材
３０５  撮影画像保存選択ボタン
【図１】
2006229691.tif 000003
【図２】
2006229691.tif 000004
【図３】
2006229691.tif 000005
【図４】
2006229691.tif 000006
【図５】
2006229691.tif 000007
【図６】
2006229691.tif 000008
【図７】
2006229691.tif 000009